(57)【特許請求の範囲】
【請求項１】
木棺と、前記木棺内に敷かれる布団とを含む木棺セットであって、
前記布団の詰め物に、前記木棺の製造の際に生じた木屑であって、前記木棺と同じ木材からなるおが粉およびかんな屑が混在した木屑が用いられていることを特徴とする、木棺セット。
【請求項２】
前記布団は、遺体の頭部、胴部および脚部を載せる３つの分割部分に分割して構成され、
前記頭部を載せる前記分割部分は、それ以外の２つの前記分割部分よりも前記木棺の長手方向における長さが短いことを特徴とする、請求項１に記載の木棺セット。
【発明の詳細な説明】
【技術分野】
【０００１】
本発明は、木棺と木棺内に敷かれる布団とを含む木棺セットに関する。
【背景技術】
【０００２】
日本では、火葬の習慣から、遺体を収める棺には、木材で作られた棺である木棺が用いられている。木棺内には、布団が敷かれ、その布団の上に、遺体が安置される。
【０００３】
遺体が木棺内に収められてから火葬されるまでの数日間で、遺体の腐敗が進み、遺体から悪臭（死臭）を発するようになる。たとえば、下記の先行技術文献には、介護老人や遺体から発する臭いの問題が記載されており、ベッド上や棺内で使用される布団として、檜や杉などの削り屑を通気性シートで包装した使い捨て用寝具が提案されている。
【先行技術文献】
【特許文献】
【０００４】
【特許文献１】実用新案登録第３１６０７９８号公報
【発明の概要】
【発明が解決しようとする課題】
【０００５】
しかしながら、かかる使い捨て用寝具は、棺専用の敷き布団として考案されたものではないので、当該先行技術文献には、棺と使い捨て用寝具との関連性については、何ら記載されていない。
【０００６】
本発明の目的は、木棺と布団との密接な関連性による種々の効果を発揮できる、木棺セットを提供することである。
【課題を解決するための手段】
【０００７】
前記の目的を達成するため、本発明に係る木棺セットは、木棺と、木棺内に敷かれる布団とを含む木棺セットであって、布団の詰め物に、木棺の製造の際に生じた木屑であって、前記木棺と同じ木材からなるおが粉およびかんな屑が混在した木屑が用いられていることを特徴とする。
【０００８】
この構成によれば、木棺内に敷かれる布団の詰め物は、木棺の製造の際に生じた木屑であり、木棺と同じ木材からなる。これにより、木棺および布団から同じ木材の香りが発し、布団上に安置された遺体がその統一感のある香りで包まれる。そのため、遺体から死臭を発しても、その死臭を効果的に緩和することができる。
【０００９】
また、木棺の製造の際に生じた木屑が布団の詰め物として使用されることにより、その木屑を焼却処分する必要をなくすことができる。その結果、木棺の製造に要する費用から木屑の焼却処分に要する費用を削減することができる。そのため、この木棺セットでは、綿などの繊維を詰め物とする布団を木棺とセットで販売する場合よりも販売価格を低く抑えることができる。また、木屑の焼却処分によるＣＯ２などの排出を削減することができ、環境汚染や地球温暖化を抑制することがきる。
【００１０】
さらにまた、木屑を詰め物とする布団は、優れた通気性を有する。そのため、木棺内に湿気および熱が籠もることを抑制でき、遺体の腐敗を抑制することができる。また、木棺内に遺体の腐敗を抑制するために入れられるドライアイスを長持ちさせることができ、ドライアイスの消費量を低減することができる。
【００１１】
木屑には、おが粉（大鋸屑）およびかんな屑が含まれる。
【００１２】
おが粉は、のこぎりなどで木材を切断したときに生じる目の細かい木屑である。かんな屑は、かんなで木材を削ったときに生じる薄片の木屑である。かんな屑の長く続いたものは、カールした形状をなす。おが粉とかんな屑とが混在した木屑を詰め物とした布団は、かんな屑による適度な弾力性を有しながら、かんな屑の隙間におが粉が入り混むことによる適度な硬さを有する。また、おが粉が布団内で分散することにより、布団の表面が滑らかになる。そのため、木棺内にその布団が敷かれることにより、木棺内で遺体を安易に動かないように固定することができる。
【００１３】
また、おが粉は、吸湿性および吸水性に優れるため、遺体から排出される腐敗液を良好に吸収する。これにより、腐敗液が木棺から染み出すのを防止するために、木棺の底面と布団との間にビニールシートや吸水材を敷く必要をなくすことができる。
【００１４】
同じサイズの木棺を製造する際には、その製造に必要となる木材の量および製造工程が同じであるから、ほぼ定量のおが粉およびかんな屑が生じる。そのため、木屑におけるおが粉とかんな屑との割合は、おが粉とかんな屑とを計量して混合しなくても、ほぼ一定の割合となる。したがって、おが粉とかんな屑とを一定割合で混合するための計量混合機を用いることなく、木棺の製造の際に生じた木屑を布団の詰め物とすることによる一定の効果を常に発揮することができる木棺セットを製造することができる。
布団は、遺体の頭部、胴部および脚部を載せる３つの分割部分に分割して構成され、頭部を載せる分割部分は、それ以外の２つの分割部分よりも木棺の長手方向における長さが短いことが好ましい。
【発明の効果】
【００１５】
本発明によれば、木棺と布団との密接な関連性により、布団上に安置された遺体がその統一感のある香りで包まれることによる死臭の緩和、木棺の製造の際に生じた木屑の焼却処分の省略およびその焼却処分に要する費用の削減、綿などの繊維を詰め物とする布団と木棺とのセットよりも販売価格を低く抑えることができるなどの優れた効果を発揮することができる。
【図面の簡単な説明】
【００１６】
【図１】木棺セットの斜視図である。
【図２】木棺セットの斜視図であり、蓋が取り外された状態を示す。
【図３】布団の斜視図である。
【図４】布団の詰め物に用いられるおが粉の写真である。
【図５】布団の詰め物に用いられるかんな屑の写真である。
【発明を実施するための形態】
【００１７】
以下では、本発明の実施の形態について、添付図面を参照しつつ詳細に説明する。
【００１８】
図１は、木棺セット１の斜視図である。図２は、木棺セット１の斜視図であり、蓋５が取り外された状態を示す。
【００１９】
木棺セット１は、木棺２と、木棺２内に敷かれる布団３とを含む。木棺２に収容される遺体は、布団３の上に安置される。
【００２０】
木棺２は、図２に示されるように、棺本体４および蓋５を備えている。
【００２１】
棺本体４は、上面が開放された箱型（直方体形状）に形成されている。棺本体４の材料には、たとえば、檜、杉または樅が用いられる。
【００２２】
蓋５は、棺本体４と同じ木材からなる。蓋５は、平面視で棺本体４とほぼ同じ形状の板状をなしている。蓋５が棺本体４に被せられると、蓋５により、棺本体４の上面が閉塞される。蓋５の長手方向の一端部には、矩形状の窓６が形成されている。窓６には、観音開きの２枚の扉７が設けられている。遺体が棺本体４内に収められて、蓋５が棺本体４に被せられた後は、扉７を開くことにより、窓６を通して、遺体の顔を覗き見ることができる。
【００２３】
図３は、布団３の斜視図である。
【００２４】
布団３は、たとえば、木棺２の長手方向に３分割で構成されている。布団３の各分割部分３Ａ，３Ｂ，３Ｃは、扁平な直方体形状をなしており、木棺２の幅方向（長手方向と直交する方向）に同一の幅を有している。２つの分割部分３Ｂ，３Ｃは、木棺２の長手方向に同一の長さを有し、残り１つの分割部分３Ａは、２つの分割部分３Ｂ，３Ｃと比較して、木棺２の長手方向における長さが短い。分割部分３Ａは、木棺２内の長手方向の一端部に配置され、遺体は、その頭部が分割部分３Ａ上に位置するように安置される。
【００２５】
分割部分３Ａ上に遺体の頭部が置かれることにより、遺体の頭部、胴部および脚部をそれぞれ分割部分３Ａ，３Ｂ，３Ｃで分散して受けることができる。
【００２６】
また、遺体の頭部と分割部分３Ａとの接触面積は、遺体の胴部と分割部分３Ｂとの接触面積および遺体の脚部と分割部分３Ｃとの接触面積よりも小さいので、分割部分３Ａが遺体の頭部から受ける圧力は、分割部分３Ｂ，３Ｃがそれぞれ遺体の胴部および脚部から受ける圧力よりも大きい。分割部分３Ａは、分割部分３Ｂ，３Ｃよりも木棺２の長手方向に短く形成されているので、分割部分３Ｂ，３Ｃと比較して、荷重に対する詰め物（次に述べる）の逃げが小さく、荷重に対する反発力が大きい。よって、遺体の頭部が胴部および脚部よりも沈むことを防止でき、布団３上で遺体を良好な姿勢で支持することができる。
【００２７】
図４は、布団３の詰め物に用いられるおが粉の写真である。図５は、布団３の詰め物に用いられるかんな屑の写真である。
【００２８】
布団３の詰め物には、図４に示されるおが粉（大鋸屑）および図５に示されるかんな屑が混在した木屑が用いられている。すなわち、布団３の各分割部分３Ａ，３Ｂ，３Ｃは、図３に示される布袋８に、図４に示されるおが粉および図５に示されるかんな屑が混在した木屑を詰めることによって作製されている。布袋８は、たとえば、綿からなり、通気性を有している。
【００２９】
図４に示されるおが粉は、木棺２（棺本体４および蓋５）の製造の際に生じる木屑であり、のこぎりなどで木棺２の材料を切断したときに生じる目の細かい木屑である。図５に示されるかんな屑は、木棺２（棺本体４および蓋５）の製造の際に生じる木屑であり、かんなで木棺２の材料を削ったときに生じる薄片の木屑である。かんな屑の長く続いたものは、カールしている。したがって、図４に示されるおが粉および図５に示されるかんな屑は、木棺２と同じ木材からなる。すなわち、木棺２の材料が檜である場合、布団３の詰め物には、その木棺２の材料である檜のおが粉およびかんな屑を含む木屑が用いられる。また、木棺２の材料が杉である場合、布団３の詰め物には、その木棺２の材料である杉のおが粉およびかんな屑を含む木屑が用いられ、木棺２の材料が樅である場合、布団３の詰め物には、その木棺２の材料である樅のおが粉およびかんな屑を含む木屑が用いられる。
【００３０】
このように、木棺２内に敷かれる布団３の詰め物は、木棺２の製造の際に生じた木屑であり、木棺２と同じ木材からなる。これにより、木棺２および布団３から同じ木材の香りが発し、布団３上に安置された遺体がその統一感のある香りで包まれる。そのため、遺体から死臭を発しても、その死臭を効果的に緩和することができる。
【００３１】
また、木棺２の製造の際に生じた木屑が布団３の詰め物として使用されることにより、その木屑を焼却処分する必要をなくすことができる。その結果、木棺２の製造に要する費用から木屑の焼却処分に要する費用を削減することができる。そのため、この木棺セット１では、綿などの繊維を詰め物とする布団３を木棺２とセットで販売する場合よりも販売価格を低く抑えることができる。また、木屑の焼却処分によるＣＯ２などの排出を削減することができ、環境汚染や地球温暖化を抑制することがきる。
【００３２】
さらにまた、木屑を詰め物とする布団３は、優れた通気性を有する。そのため、木棺２内に湿気および熱が籠もることを抑制でき、遺体の腐敗を抑制することができる。また、木棺２内に遺体の腐敗を抑制するために入れられるドライアイスを長持ちさせることができ、ドライアイスの消費量を低減することができる。
【００３３】
木屑には、おが粉およびかんな屑が含まれる。
【００３４】
おが粉は、のこぎりなどで木材を切断したときに生じる目の細かい木屑である。かんな屑は、かんなで木材を削ったときに生じる薄片の木屑である。かんな屑の長く続いたものは、カールした形状をなす。おが粉とかんな屑とが混在した木屑を詰め物とした布団３は、かんな屑による適度な弾力性を有しながら、かんな屑の隙間におが粉が入り混むことによる適度な硬さを有する。また、おが粉が布団３内で分散することにより、布団３の表面が滑らかになる。そのため、木棺２内にその布団３が敷かれることにより、木棺２内で遺体を安易に動かないように固定することができる。
【００３５】
また、おが粉は、吸湿性および吸水性に優れるため、遺体から排出される腐敗液を良好に吸収する。これにより、腐敗液が木棺２から染み出すのを防止するために、木棺２の底面と布団３との間にビニールシートや吸水材を敷く必要をなくすことができる。
【００３６】
同じサイズの木棺２を製造する際には、その製造に必要となる木材の量および製造工程が同じであるから、ほぼ定量のおが粉およびかんな屑が生じる。そのため、木屑におけるおが粉とかんな屑との割合は、おが粉とかんな屑とを計量して混合しなくても、ほぼ一定の割合となる。したがって、おが粉とかんな屑とを一定割合で混合するための計量混合機を用いることなく、木棺２の製造の際に生じた木屑を布団３の詰め物とすることによる一定の効果を常に発揮することができる木棺セット１を製造することができる。
【００３７】
以上、本発明の一実施形態を説明したが、本発明は、他の形態で実施することもできる。
【００３８】
布袋８は、通気性を有していれば、絹または麻など、綿以外の繊維を用いて作製されてもよいし、ポリエステルなどの化学繊維を用いて作製されてもよい。
【００３９】
また、布団３は、３分割で構成されているとしたが、２分割で構成されていてもよいし、４分割以上に分割して構成されていてもよい。また、布団３は、一体物として形成されていてもよい。
【００４０】
さらに、布団３の分割部分３Ａが分割部分３Ｂ，３Ｃよりも木棺２の長手方向に短く形成されているとしたが、分割部分３Ａ，３Ｂ，３Ｃが木棺２の長手方向に同じ長さに形成されていてもよい。
【００４１】
また、木棺２内には、布団３以外に、遺体の頭部が載せられる枕、遺体に掛けられる掛け布団などが収容されてもよい。この場合、枕および掛け布団の詰め物として、木棺２の製造の際に生じた木屑（おが粉およびかんな屑）が用いられることが好ましい。これにより、木棺２、布団３、枕および掛け布団から同じ木材の香りが発し、布団３上に安置された遺体がその統一感のある香りで包まれるので、遺体から発する死臭をより効果的に緩和することができる。
【００４２】
その他、前述の構成には、特許請求の範囲に記載された事項の範囲で種々の設計変更を施すことが可能である。
【符号の説明】
【００４３】
１  木棺セット
２  木棺
３  布団
【要約】
【課題】木棺と布団との密接な関連性による種々の効果を発揮できる、木棺セットを提供する。
【解決手段】木棺セット１は、木棺２と、木棺２内に敷かれる布団３とを含む。布団３の詰め物は、木棺２の製造の際に生じた木屑であり、木棺２と同じ木材からなる。
【選択図】図２【図１】
0005493041.tif 000002
【図２】
0005493041.tif 000003
【図３】
0005493041.tif 000004
【図４】
0005493041.tif 000005
【図５】
0005493041.tif 000006